(57)【要約】閉止部（１１）は、粘着層が設けられる、屈曲自在の材料、好ましくは引裂き防止プラスチック膜から成るセクション（１０）から構成される。その膜は、着脱自在のサポート（６）へ接合される。タブ（１２）が、閉止部（１１）における切欠き線（１４）の手段により切欠きされ、そのタブは、包装袋へ接合される。タブ（１２）を取囲む閉止部（１１）の領域は、袋を担持またはぶら下げる取っ手（１５）を形成する。
2006513934.tif 000002
【特許請求の範囲】
【請求項１】
袋開口部（５）と閉止部（１１）を有する、屈曲自在の材料から成る包装袋であって、前記閉止部は、粘着層が設けられる、屈曲自在の材料から成るセクション（１０）と、および前記セクション（１０）へ離脱自在に接続されるサポート（９）またはそのような（６）とから構成される包装袋において、前記包装袋へ接続されるタブ（１２）が、前記閉止部（１１）における切取り線（１４）の手段により切取られ、前記タブ（１２）を取囲む前記閉止部（１１）の領域は、前記包装袋を担持するか、またはぶら下げる取っ手（１５）を形成することを特徴とする包装袋。
【請求項２】
切取り線（１４）は、前記袋開口部の縁部（１８）の周辺で始まり、前記縁部（１８）から離れて移動し、ついで前記縁部（１８）の周辺で終わることを特徴とする請求項１に記載の包装袋。
【請求項３】
前記包装袋の前記屈曲自在の材料は、紙から成る少なくとも１つの層を有し、前記層は前記包装袋の外部に位置決めされることを特徴とする上述の請求項のいずれかに記載の包装袋。
【請求項４】
前記包装袋の前記屈曲自在の材料は、紙であることを特徴とする請求項１乃至３のいずれかに記載の包装袋。
【請求項５】
前記サポート（６）は、前記タブ（１２）の前記領域において取外され、また前記領域における前記セクション（１０）は、前記包装袋の前記材料へ直接接着することを特徴とする上述の請求項のいずれかに記載の包装袋。
【請求項６】
前記タブ（１２）の前記領域における前記サポート（６）は、前記包装袋の前記材料へ接続され、また前記領域における前記セクション（１０）は、離脱自在の仕方で前記サポート（６）へ接着することを特徴とする請求項１乃至４のいずれかに記載の包装袋。
【請求項７】
前記サポート（６）には、分離線（７）が設けられ、前記分離線は、脆弱化の線として設計されるか、または前記サポートを２つの部分（８，９）に分割し、および前記袋開口部の前記縁部（１８）へ少なくともほぼ平行に延びることを特徴とする上述の請求項のいずれかに記載の包装袋。
【請求項８】
前記包装袋は、少なくとも１つの補強部（３）を有することを特徴とする上述の請求項のいずれかに記載の包装袋。
【請求項９】
前記開口部の縁部（１８）は、封止縁部（１６）として設計されることを特徴とする上述の請求項のいずれかに記載の包装袋。
【発明の詳細な説明】
【技術分野】
【０００１】
本発明は、袋開口部と閉止部を有する、屈曲自在の材料から成る包装袋であって、その閉止部は、粘着層が設けられる、屈曲自在の材料から成るセクションと、およびそのセクションへ着脱自在に接合されるサポートとから構成される包装袋に関する。
【背景技術】
【０００２】
粘着層が設けられる、ある材料から成るセクションの手段により包装袋を閉止することが知られている。市販の粘着ラベルまたは接着剤付きラベルは、たとえば、そのような閉止部として機能できる。
【発明の開示】
【発明が解決しようとする課題】
【０００３】
本発明は、その目的として、包装袋を快適に担持できるか、または手軽にぶら下げできるように取っ手を有する、このようにして閉止自在な包装袋を提供することにある。
【課題を解決するための手段】
【０００４】
この目的は、タブが、閉止部における切取り線の手段により切取られ、包装袋に接続され、そのタブを取囲む閉止部の領域は、包装袋を担持するか、またはぶら下げる取っ手を形成することを特徴とする包装袋を通して達成される。
【０００５】
本発明に従うこの解決策は、閉止部と取っ手の組合せを通して、大きい重量を担持するその包装袋を、そのような包装袋の需要がある製造ロット部材数を考慮すると非常に経済的に製造できるという利点を有する。さらに、この解決策は、包装袋用の材料の設計と選択において大きい柔軟性を提供する。
【０００６】
本発明の特定の実施態様によれば、切取り線は、包装袋開口部の縁部の周辺で始まり、その縁部から離れて移動し、ついでその縁部で終わる。そのような包装袋は、閉止されないままで出荷でき、ついで一旦閉止されると、取っ手が、使用位置において自動的に起き上がる。
【０００７】
本発明の他の実施態様によれば、包装袋の屈曲自在の材料は、包装袋の外部に位置決めされる紙から成る少なくとも１つの層を有するか、または紙である。経済的に製造できるそのような包装袋により、粘着セクションを使用する閉止の利点を特に理解できる。
【０００８】
本発明の別の実施態様によれば、サポートは、タブの領域において取外され、またその領域におけるセクションは、包装袋の材料へ直接接着する。包装袋の材料が外側に紙を有するならば、この袋は再閉止自在ではない。しかしながら、本発明の他の実施態様によれば、タブの領域におけるサポートが、包装袋の材料へ接続され、かつこの領域におけるセクションが着脱自在の仕方でサポートへ接着するならば、包装袋は、それがどのような材料から構成されるかには関係なく、再閉止自在である。
【０００９】
包装袋を閉止する目的のためにサポートの着脱を容易にするために、サポートには、分離線が設けられ、その分離線は、脆弱化の線として設計されるか、またはサポートを２つの部分に分割し、および袋開口部の縁部へ少なくともほぼ平行に延びる。さらに、袋の全容積を好都合に利用する目的のために、包装袋は、少なくとも１つの補強部を有することができる。最後に、包装袋を、開口部の縁部が封止縁部として設計されるように、確実な仕方で封止することもできる。
【発明を実施するための最良の形態】
【００１０】
本発明の特定の実施態様を、添付図面を参照して一例として以下において詳細に説明する。
【００１１】
図１乃至８に図示される袋は、所謂底部ブロック袋である。しかしながら、本発明は、底部ブロック袋に限定されないが、屈曲自在の材料から成る任意の形式の包装袋を包含する。たとえば、図１乃至５に示される包装袋は、必要に応じて袋の内側にプラスチックの薄層が設けられる紙から製造でき、その層により、一定の不浸透性が保証され、かつ封止を通しての材料の接続ができる。その袋は、裏側面１と表側面２を有し、またその横方向部分は好ましくは、既知の仕方で補強部３を有する。袋の下端部には床部４が形成され、また上端部には開口部５が位置決めされ、その開口部を通して袋が詰め込まれるか、または空にされる。
【００１２】
図１は、包装製造業者により供給され、ついで、たとえば、最初に袋に詰め込む食品加工企業へ引き渡される包装袋を示す。下記のように構成される閉止部１１が袋を閉止するように機能する。屈曲自在の材料、好ましくは引裂防止プラスチックの膜から成るセクション１０には、片側に粘着物質が塗布される。平明にするために、セクション１０を意味するときは下記において粘着膜と言われる。粘着膜１０から離れた側面にある好ましくは同等な大きさのサポート６には、１つの層、所謂「脱着層」が設けられ、その層により粘着膜１０の着脱ができる。サポート６は、分離線７により２つのセクション８と９に分割されるので、分離線７は、サポート６の材料を完全に孔抜きできるか、またはサポートの材料を完全に孔抜きしない脆弱化の線として既知の仕方で設計されることができる。タブ１２が、切取り線１４の手段により閉止部１１内に形成され、その手段は、サポート６と粘着膜１０の両方を通して孔抜きする。タブ１２を取囲む閉止部１１の領域は、さらに説明および図示されるように、後で取っ手１５を形成する。サポート材料は、粘着膜１０のサポート材料からの後での着脱を容易にするために、図示されるように、タブ１２の隅部１３において切込みを入れることができる。図面が示すように、閉止部１１は、分離線７が袋の開口部縁部１８とほぼ整合するように、袋の外側に載置される。
【００１３】
製造業者は、２つの変形態様における第１の実施態様に従って包装袋を製造できる。第１のより単純な変形態様において、包装袋は、特にその外側側面が紙から成るときに、使用者が開放した後には原則として再閉止できない。それにより閉止部１１は、タブ１２を覆うサポート６のセクションが取外されるように、かつタブ１２が袋の裏側面１へ接着されるように、袋上に載置される。
【００１４】
第２の幾分より関与する変形形態において、包装袋は、使用者が開放した後に、および正確には、その外側側面が紙から成るときでも、再び閉止できる。それにより閉止部１１は、タブ１２を覆う（および図１において陰影線が付けられる）サポート６のセクションに、接着剤が塗布されるように、かつそのセクションがついで、袋の裏側面１へ接続されるように、袋上に載置される。
【００１５】
第１または第２の変形態様に従って製造される袋が図２に示され、その袋は、この図において、図１に示される位置に関して１８０°だけ回転されるので、開口部５を十分に目視できる。さらに、図２に従う袋は、直立させられて、詰め込みされるのが可能になる。詰め込み後の閉止を準備するために、袋縁部１８から突出るサポート６の部分８は、引き離され、これは分離線７により容易に実施される。次の段階において、袋縁部１８を突出る粘着膜１０の部分は曲げられ、またサポート６の部分８の引き離しを通して露出される粘着膜１０の粘着層は、袋の表側面２へ接着される。この曲げにより、サポート６へ接続される粘着膜１０のタブ１２を取囲む部分は、起き上がり、取っ手１５を形成する。そのようにして閉止される袋が、図３と４に示され、図３は袋の表側面を示し、また図４は袋の裏側面を示す。取っ手１５により、ここで袋を、使用者が快適に掴み、かつ持ち歩くことができる。
【００１６】
包装袋の上述の変形態様の両方を、タブ１２が袋の裏側面１から離脱されるように内容物を取出すために単純な仕方で開放できる。図示されるように切込みが入れられる隅部１３（たとえば、特に図４における）は、タブ１２を袋から引き離すためにタブ１２の掴みを容易にする。再閉止できない変形態様の場合、タブ１２は、袋材料へ直接接着し、一旦開放されると、その材料は引裂かれる。再閉止できる変形態様の場合、タブ１２は、サポート６の対応するセクションへ接着され、そのセクションとしては、上述のように袋の裏側面１へ接続される。サポート６の脱着層のおかげで、タブ１２をサポート６から脱着でき、サポート６の残りのセクションは、図５で分かるように袋上に残される。全ての意図と目的のために、タブ１２を、しばしば必要なように、このサポートセクション上に再び貼り付けできる。
【００１７】
第１の上述の実施例に従う包装袋は、確実に封止できないので、勿論流体成分を含有する内容物には適切でない。この袋の好ましい用途は、たとえば、航空路乗客に配分されるようになっている、たとえば、サンドイッチのような固体食品の包装である。図６乃至８に図示される本発明の第２の実施例は、最初の閉止後に密接される包装袋を示す。この目的のために、この袋は、既知の仕方で最初に詰め込むときに封止縁部１６の手段により閉止される。サポート６は、それが封止縁部１６に接着しないように、この袋の裏側面１へ固定される。図７が特に示すように、袋に接着しない閉止部１１の領域を、引上げることができて、取っ手１５として使用できる。この袋の最初の開放は、封止縁部１６の引裂きを通して単純な仕方で行われ、この開放を、包装材料に配設される、引裂き切込み１７、および／または脆弱化線（図示されない）により容易に実施できる。使用者は、このようにして開放された袋を再び閉止したい場合、図８に示されるようにサポート６の部分８を粘着膜１０から脱着し、粘着膜１０の突出し部を袋開口部５上に載置し、ついでそれを袋の表側面２へ接着する。使用者は、一旦この袋を二度目に開放すると、図５と連係して上述したように、脱着層が設けられ、かつ袋の裏側面１に配設されるサポート６の部分からタブ１２を引き離す。
【００１８】
最後に、図９と１０それぞれは、本発明に従う閉止部１１用の材料の帯板からの切欠きを示す。両方の図において、本発明に従う閉止部の製造に、連続帯板の形態でサポート６へ接続される粘着膜１０が使用される。分離線７と切欠き線１４は、この帯板に既に形成される。閉止部１１の製造は、それらが分離線１９に沿って帯板から分離されるように、単純な仕方で行われる。図９に従う帯板は、屈曲自在のチューブからの袋の製造に意図され、袋の開口部縁部は、製造方向に直交して形成される。図１０に従う帯板は、１つ以上の条帯片から袋を製造するのに使用され、そこにおいて、それぞれの場合における開口部縁部が、たとえば、条帯片の縁部において条帯片の方向に平行に位置する。
【００１９】
粘着膜１０および／またはサポート６を、適用されるならば、たとえば、使用目的および／または使用説明についての表示、ならびに包装内容物の賞味期限の表示を付けて印刷できる。
【図面の簡単な説明】
【００２０】
【図１】本発明の第１の実施態様に従う包装袋の裏側面の透視図である。
【図２】第１の実施態様に従う包装袋を閉止前に前面から見た図である。
【図３】第１の実施態様に従う包装袋を閉止後に前面から見た図である。
【図４】第１の実施態様に従う包装袋を閉止後に後面から見た図である。
【図５】第１の実施態様に従う包装袋を再開放後に後面から見た図である。
【図６】本発明の第２の実施態様に従う包装袋の表側面の透視図である。
【図７】取っ手を引上げた図６に従う袋の図である。
【図８】最初に開放するときの図６に従う袋の図である。
【図９】本発明に従う包装袋用の閉止部を製造する材料の帯板からのそれぞれの切欠きの図である。
【図１０】本発明に従う包装袋用の閉止部を製造する材料の帯板からのそれぞれの切欠きの図である。
【図１】
2006513934.tif 000003
【図２】
2006513934.tif 000004
【図３】
2006513934.tif 000005
【図４】
2006513934.tif 000006
【図５】
2006513934.tif 000007
【図６】
2006513934.tif 000008
【図７】
2006513934.tif 000009
【図８】
2006513934.tif 000010
【図９】
2006513934.tif 000011
【図１０】
2006513934.tif 000012
【手続補正書】
【提出日】平成16年11月2日(2004.11.2)
【手続補正１】
【補正対象書類名】特許請求の範囲
【補正対象項目名】全文
【補正方法】変更
【補正の内容】
【特許請求の範囲】
【請求項１】
袋開口部（５）と閉止部（１１）を有する、屈曲自在の材料から成る包装袋であって、前記閉止部は、屈曲自在の材料から成るセクション（１０）と、前記セクション（１０）へ接続されるサポート（６）とを含み、タブ（１２）が、前記閉止部（１１）における切取り線（１４）により切取られ、前記タブは、包装袋へ接続され、前記閉止部（１１）の前記タブ（１２）を取囲む前記閉止部（１１）の領域は、前記包装袋を担持するか、またはぶら下げる取っ手（１５）を形成する包装袋であって、前記セクション（１０）には、粘着層が設けられ、前記粘着層を経て前記サポート（６）が脱着自在に接続されること、および前記タブ（１２）の領域における前記サポート（６）が、包装袋の材料へ接続され、またこの領域における前記セクション（１０）が脱着自在の仕方で前記サポート（６）へ接着することを特徴とする包装袋。
【請求項２】
切取り線（１４）は、前記袋開口部の縁部（１８）の周辺で始まり、前記縁部（１８）から離れて移動し、前記縁部（１８）の周辺で終わることを特徴とする請求項１に記載の包装袋。
【請求項３】
前記包装袋の前記屈曲自在の材料は、紙から成る少なくとも１つの層を有し、前記層は前記包装袋の外部に位置決めされることを特徴とする請求項１または２に記載の包装袋。
【請求項４】
前記包装袋の前記屈曲自在の材料は、紙であることを特徴とする請求項１または２に記載の包装袋。
【請求項５】
前記サポート（６）には、分離線（７）が設けられ、前記線は、脆弱化の線として設計されるか、または前記サポートを２つの部分（８，９）に分割し、および前記袋開口部の前記縁部（１８）へ少なくともほぼ平行に延びることを特徴とする請求項１〜４のいずれかに記載の包装袋。
【請求項６】
前記包装袋は、少なくとも１つの補強部（３）を有することを特徴とする請求項１〜５のいずれかに記載の包装袋。
【請求項７】
前記開口部の縁部（１８）は、封止縁部（１６）として設計されることを特徴とする請求項１〜６のいずれかに記載の包装袋。
【手続補正２】
【補正対象書類名】明細書
【補正対象項目名】０００１
【補正方法】変更
【補正の内容】
【０００１】
本発明は、袋開口部と閉止部を有する、屈曲自在の材料から成る包装袋であって、その閉止部は、屈曲自在の材料から成るセクションと、およびそのセクションへ着脱自在に接合されるサポートとから構成され、またタブが、閉止部における切欠き線の手段により切欠きされ、そのタブは、包装袋へ接合され、タブを取囲む閉止部の領域は、包装袋を担持またはぶら下げる取っ手を形成する包装袋に関する。
【手続補正３】
【補正対象書類名】明細書
【補正対象項目名】０００２
【補正方法】変更
【補正の内容】
【０００２】
この種の包装袋が知られている。かくしてＵＳ−Ａ−１７９２８８５は、たとえば、２つの取っ手が設けられるこの種の包装袋を示し、それにより、包装袋を閉止する一方の取っ手が傾斜され、また凸縁部が、他方の取っ手の下端領域に設けられるポケットに挿入される。しかしながら、この包装袋は、かなり製造コストが高い。
【手続補正４】
【補正対象書類名】明細書
【補正対象項目名】０００３
【補正方法】変更
【補正の内容】
【０００３】
本発明は、その目的として、取っ手を有する、手軽にかつ簡単に繰返し再開閉でき、かつ容易に製造できる、このようにして閉止自在な包装袋を提供することにある。
【手続補正５】
【補正対象書類名】明細書
【補正対象項目名】０００４
【補正方法】変更
【補正の内容】
【０００４】
この目的は、セクションには粘着層が設けられ、その層を経てサポートが脱着自在に接続されること、およびタブの領域におけるサポートが、包装袋の材料へ接続され、またこの領域におけるセクションが脱着自在の仕方でサポートへ接着することを特徴とする包装袋を通して達成される。
【手続補正６】
【補正対象書類名】明細書
【補正対象項目名】０００５
【補正方法】変更
【補正の内容】
【０００５】
本発明に従うこの解決策は、閉止部と取っ手の組合せを通して、大きい重量を担持するその包装袋を、そのような包装袋の需要がある製造ロット部材数を考慮すると非常に経済的に製造できるという利点を有する。さらに、この解決策は、包装袋用の材料の設計と選択において大きい柔軟性を提供する。
加えて、本発明は、タブの領域におけるサポートが、包装袋の材料へ接続され、またこの領域におけるセクションが脱着自在の仕方でサポートへ接着するので、包装袋が、それがどのような材料から構成されるかには関係なく、再閉止自在であるという利点を有する。


【国際調査報告】
2006513934.tif 000013
2006513934.tif 000014
2006513934.tif 000015
2006513934.tif 000016
2006513934.tif 000017
2006513934.tif 000018